(57)【特許請求の範囲】
【請求項１】
内部に、ディスクに回転を伝えるディスク受け及び情報記録再生手段を有するディスク装置本体と、ディスクが載置されるディスク収納凹部を有すると共に前記ディスク収納凹部にディスクを載置可能な第一の位置とディスクに情報を記録／再生可能な第二の位置との間を移動可能に設けたトレイと、を有するディスク装置において、前記トレイはディスクの直径より大きい内径と前記ディスクの厚さより深い深さとを有するディスク収納凹部と、前記ディスク収納凹部の外周側から前記ディスク収納凹部の中心方向に突出した前記ディスク収納凹部の底面に略平行な少なくとも一つのディスク支持部材とを有し、前記ディスク装置を縦置きに設置したときにも、少なくとも前記ディスク収納凹部から前記ディスクの挿抜を可能とするよう、前記ディスク収納凹部の底部と前記ディスク支持部材との間に前記ディスクが動くことのできる隙間を設け、前記トレイを前記第一の位置から前記第二の位置へ移動せしめたとき、そのトレイの移動に連動して、前記ディスク支持部材は前記ディスク収納納凹部の中心方向へ突出した状態のまま前記トレイ表面から離反する方向に変移させる手段を有することを特徴とするディスク装置。
【請求項２】
内部に、ディスクに回転を伝えるディスク受け及び情報記録再生手段を有するディスク装置本体と、ディスクが載置されるディスク収納凹部を有すると共に前記ディスク収納凹部にディスクを載置可能な第一の位置とディスクに情報を記録／再生可能な第二の位置との間を移動可能に設けたトレイと、を有するディスク装置において、前記トレイはディスクの直径より大きい内径と前記ディスクの厚さより深い深さとを有するディスク収納凹部と、前記ディスク収納凹部の外周側から前記ディスク収納凹部の中心方向に突出した前記ディスク収納凹部の底面に略平行な少なくとも一つのディスク支持部材とを有し、前記ディスク装置を縦置きに設置したときにも、少なくとも前記ディスク収納凹部から前記ディスクの挿抜を可能とするよう、前記ディスク収納凹部の底部と前記ディスク支持部材との間に前記ディスクが動くことのできる隙間を設け、前記トレイを前記第一の位置から前記第二の位置へ移動せしめたとき、そのトレイの移動に連動して、前記ディスク支持部材は前記ディスク収納納凹部にその中心方向へ突出した状態のまま前記トレイ表面から離反する方向に変移させる手段としてディスク支持部材に突状部を設け、さらに前記トレイが前記第二の位置にある時に前記突状部と当接する位置にカムを設けたことを特徴とするディスク装置。
【発明の詳細な説明】
【０００１】
【産業上の利用分野】
本発明は、ＣＤ−ＲＯＭなどのディスクを使用して情報の記録／再生を行なうディスク装置へディスクの搬入搬出を行なうディスクトレイ装置に関するものである。
【０００２】
【従来の技術】
ＣＤ−ＲＯＭ等のディスクを使用して情報の記録／再生を行なうディスク装置にディスクを搬入搬出する方法で、近年一般に使用されている方法としては、大別して４種類の方法がある。
【０００３】
以下に、その４種類の方法について説明する。図６は、第１の方法によるディスク装置を示す斜視図である。１は装置本体を示し、１ａは装置本体１に回転可能に設けられたディスク受けであり、１ｂはディスク３へ情報の記録再生を行なう情報記録再生手段である。２は蓋であり、この蓋２は支点２ａにより装置本体１に回動可能に支持されている。２ｂは蓋２に回動可能に支持されたディスククランパである。
【０００４】
前記蓋２は通常状態で２点鎖線で示すように閉位置２ｃにあり、使用者がディスク３をディスク装置に配置するためには、蓋２を閉位置２ｃから図示の開位置まで回動させる。その後、ディスク３をディスク受け１ａの上、すなわち、情報記録再生位置３ａに載置し、蓋２を再度閉位置２ｃまで回動させる。これにより、ディスク３はディスク受け１ａとディスククランパ２ｂに挟持され、以上でディスクの配置が終了し、ディスク３が回転して情報記録再生手段１ｂにより情報の記録再生が行なわれる。
【０００５】
図７は、第２の方法によるディスク装置を示す斜視図である。１は装置本体を示し、１ｄは装置本体１に設けられたディスクの挿入口を示す。４はカートリッジを示し、３はカートリッジ４の内部に収納されたディスクを示す。使用者はディスク３をカートリッジ４に装填し、カートリッジ４を挿入口１ｄから装置本体１に挿入する。ある一定位置までカートリッジ４を装置本体１に挿入すると、装置内部の装着機構が動作して、カートリッジ４を装置本体１の内部に装着し、かつ、カートリッジ４に設けられたシャッターを開放して、ディスク３を情報の記録再生位置３ａに配置させる。
【０００６】
図８は、第３の方法によるディスク装置を示す斜視図である。１は装置本体を示し、５はディスク３を載置するためのトレイを示し、トレイ５は装置本体１に対して摺動可能に設けられている。このトレイ５の表面にはディスク３を載置するためにディスク３の外形より大きい直径を有する略円筒形の少なくとも一部を側面に持つディスク収納凹部５ａが設けられている。
【０００７】
以下にその動作を説明すると、トレイ５は通常状態で装置本体１の内部に収納されている。使用者がディスク３をディスク装置に配置するためには、ディスクの搬出機構を動作させトレイ５を図示の位置まで引き出し、トレイ５に設けられたディスク収納凹部５ａにディスク３を載置した後、ディスクの搬入機構を動作させる事により、トレイ５を再び装置本体１の内部に収納し、ディスク３を装置本体１内部の情報の記録再生位置３ａに配置させる。
【０００８】
図９は、第４の方法によるディスク装置を示す斜視図である。６は装置外装を示し、６ａは装置外装に設けられた開口部を示す。１は装置本体を示し、１ａは装置本体１に回転可能に設けられたディスク受けであり、１ｂはディスクの情報の記録再生を行なう情報記録再生手段を示す。装置本体１は開口部６ａを通じて装置外装６に対して摺動可能に支持されており、ディスクの載置及び離脱を行なう図示の開位置と、装置外装６の内部に収納されてディスクの情報の記録再生を行なう閉位置の２つの位置で保持される。
【０００９】
以下にその動作を説明すると、装置本体１は通常状態で装置外装６の内部に収納された閉位置にある。使用者がディスク３をディスク装置に配置するためには、装置本体１の搬出機構を動作させ、装置本体１を閉位置から図示の開位置まで摺動させる。その後ディスク３をディスク受け１ａの上、すなわち情報記録再生位置３ａに載置し、装置本体１の搬入機構を動作させ装置本体１を装置外装６内部の閉位置まで摺動させる。これにより、ディスク３はディスク受け１ａと装置外装に回転可能に支持されたディスククランパ（図示せず）に挟持され、ディスク受け１ａが回転する事によりディスク３が回転し、情報記録再生手段１ｂにより情報の記録再生が行なわれる。
【００１０】
【発明が解決しようとする課題】
ディスク装置においては、一般にディスク情報面を水平にして記録再生することが一般的であるが、ディスク情報面が略垂直になるような姿勢（以後、「縦置き」と略す）に装置を設置するのが好都合な場合がある。この場合上述の４種類の方法では以下の問題点を有する。
【００１１】
第１及び第４の方法では、ディスク３をディスク受け１ａに載置した段階で、ディスク３がディスク受け１ａから外れてしまいディスクの装着が出来ない。
【００１２】
次に、第２の方法は、ディスク装置を縦置きに設置する事が可能である。しかしこの方法では、カートリッジ４という別部品が必要な事、カートリッジ４にディスク３を装填する動作が必要な事、カートリッジ４に設けられているシャッターの開放機構等ディスク配置のための機構が複雑になる事などの問題点を有する。また、第３の方法では、ディスク３をトレイ５のディスク収納凹部５ａに載置した段階で、ディスク３がディスク収納凹部５ａから外れてしまいディスクの装着が出来ない。
【００１３】
本発明は、上述の第３の方法であるトレイを使用したディスク装置において、縦置きでの設置が可能なディスクトレイ装置を提供する事を目的とする。
【００１４】
【課題を解決するための手段】
本発明のデイスクトレイ装置は、トレイの表面に形成されたディスクを載置するためのディスク収納凹部の側面の一部にディスク支持部材を設け、そのディスク支持部材は、少なくともその一部がディスク収納凹部の略円筒形の側面からディスクの中心の向きに突出した第一の状態と、突出しない第二の状態とを選択的に取りえるように構成されており、前記トレイの表面が垂直に位置するとき、前記第一の状態にあるディスク支持部材は、前記ディスク収納凹部に載置されたディスクの前記ディスク収納凹部からの脱落を阻止するが、上方からは前記ディスク収納凹部に挿入可能に、前記ディスク収納凹部外周の下半分の円弧上の少なくとも一部に配置されていることを特徴とする。
また本発明は、載置すべきディスクの直径より大なる直径の開口を有するディスク収納凹部が表面に形成されたトレイと、そのトレイを、ディスクを前記ディスク収納凹部に載置可能な第一の位置とトレイ上のディスクに情報を記録／再生可能な第二の位置との間を移動可能に装置本体に支持する手段と、前記ディスク収納凹部にその直径方向より突出した第一の状態とディスク収納凹部に突出しない第二の状態とが選択的に取りえるように前記トレイ上に配置されたディスク支持部材とを有し、前記トレイの表面が垂直に位置するとき、前記第一の状態にあるディスク支持部材は、前記ディスク収納凹部に載置されたディスクの前記ディスク収納凹部からの脱落を阻止するが、上方からは前記ディスク収納凹部に挿入可能に、前記ディスク収納凹部外周の下半分の円弧上の少なくとも一部に配置されていることを特徴とする。
また本発明は、前記トレイを第一の位置から第二の位置へ移動せしめたとき、そのトレイの移動に連動して、前記ディスク支持部材は第一の状態のまま前記トレイ表面から離反する方向に自動的に変移することを特徴とする。
また本発明は、内部に、ディスクに回転を伝えるディスク受け及び情報記録再生手段を有するディスク装置本体と、ディスクが載置されるディスク収納凹部を有すると共に前記ディスク収納凹部にディスクを載置可能な第一の位置とディスクに情報を記録／再生可能な第二の位置との間を移動可能に設けたトレイと、を有するディスク装置において、前記トレイはデイスクの直径より大きい内径と前記ディスクの厚さより深い深さとを有するディスク収納凹部と、前記ディスク収納凹部の外周側から前記ディスク収納凹部の中心方向に突出した前記ディスク収納凹部の底面に略平行な少なくとも一つのディスク支持部材とを有し、前記ディスク装置を縦置きに設置したときにも、少なくとも前記ディスク収納凹部から前記ディスクの挿抜を可能とするよう、前記ディスク収納凹部の底部と前記ディスク支持部材との間に前記ディスクが動くことのできる隙間を設けたことを特徴とする。
また、本発明は内部に、ディスクに回転を伝えるディスク受け及び情報記録再生手段を有するディスク装置本体と、ディスクが載置されるディスク収納凹部を有すると共に前記ディスク収納凹部にディスクを載置可能な第一の位置とディスクに情報を記録／再生可能な第二の位置との間を移動可能に設けたトレイと、を有するディスク装置において、前記トレイはデイスクの直径より大きい内径と前記ディスクの厚さより深い深さとを有するディスク収納凹部と、前記ディスク収納凹部の外周側から前記ディスク収納凹部の中心方向に突出した前記ディスク収納凹部の底面に略平行なディスク支持部材とを前記ディスク収納凹部外周の下半分の円弧状の少なくとも一部に有し、前記ディスク装置を縦置きに設置したときにも、少なくとも前記ディスク収納凹部から前記ディスクの挿抜を可能とするよう、前記ディスク収納凹部の底部と前記ディスク支持部材との間に前記ディスクが動くことのできる隙間を設けたことを特徴とする。
また本発明は、ディスク装置に載置すべきディスクの直径より大なる直径の開口を有するディスク収納凹部が表面に形成されたトレイと、そのトレイを、ディスクを前記ディスク収納凹部に載置可能な第一の位置とトレイ上のディスクに情報を記録／再生可能な第二の位置との間を移動可能に装置本体に支持する手段と、前記ディスク収納凹部にその中心方向へ突出した第一の状態とディスク収納凹部に突出しない第二の状態とが選択的に取りえるように前記トレイ上に配置されたディスク支持部材とを有する構成とし、この第一の状態では前記ディスク装置を縦置きに設置したときにも、少なくとも前記ディスク収納凹部から前記ディスクの挿抜を可能とするよう、前記ディスク収納凹部の底部と前記ディスク支持部材との間に前記ディスクが動くことのできる隙間を設けたことを特徴とする。
【００１５】
【作用】
上記の構成において、装置を縦置きに設置した場合は、ディスク支持部材をディスク収納凹部側面から突出した位置に配置させ、ディスクをこのディスク支持部材とディスク収納凹部との間で支持する事により、ディスクのトレイからの落下を防止する。また、ディスク情報面が略水平になる姿勢（以下、「横置き」と略す）に装置を設置した場合は、ディスク支持部材をディスク収納凹部に突出しないように退避させ、使用者がディスクをディスク収納凹部の上方から載置または上方へ離脱させる行為を阻害しない。
【００１６】
【実施例】
以下に、本発明の一実施例について，図面とともに説明する。図１，図２は本発明の一実施例を示し、図１はトレイが装置本体から引き出されて使用者がディスクをトレイに載置できる状態のディスク装置を、装置の上方から見た一部切欠平面図を示し、図２は図１に図示したＡ−Ａ断面を装置の右側からみた断面図を示す。１１は装置外装を示し、図１ではその断面を示している。１１ａは装置外装１１に設けられた開口部を示す。１２は装置外装１１に固定されたシャーシを示す。
【００１７】
１３は可動板であり、前記シャーシ１２に形成された長方形状の透孔１２ａの端部に支軸１２ｂにより回転可能に取付けられており、図示のない駆動装置により図２の点線に示す動作位置１３ｅと実線で示す位置との間を移動可能に構成されている。１３ｂはディスクを担持するディスク受けを示し、１３ｃはディスク受け１３ｂを回転させるために可動板１３に固定されたモータを示し、このモータ１３ｃの回転軸はディスク受け１３ｂに固定されている。１３ｄはディスクに情報を記録，またはディスクから情報を再生するための情報記録再生手段を示し、駆動手段（図示せず）により可動板１３上を摺動する事によりディスク上の任意のトラックに対して情報の記録再生を行なう。
【００１８】
１４はトレイを示し、１４ａはディスクを載置するためにトレイ１４の表面に形成されたディスク収納凹部を示す。このディスク収納凹部１４ａはディスクの外形より大きい直径を有する略円筒形側面１４ｂ、ディスクを支持する底面１４ｃから成る。１４ｄはディスク収納凹部１４ａの底面１４ｃに設けられた開口であり、この開口１４ｄを介して記録再生時には前記デイスク受け１３ｂおよび情報記録再生手段１３ｄがデイスク１７と対向するように構成されている。
【００１９】
１４ｅ及び１４ｆは、それぞれ前記ディスク収納凹部１４ａの外周に形成された支持部材取付用開口を示し、後述の支持部材１５，１６が取付けられている。
【００２０】
トレイ１４は装置外装１１及びシャーシ１２に対して摺動可能に設けられており、可動板１３の回動と関連した手順で摺動し、図１，図２に図示されているディスクの載置離脱を行なう位置と、ディスクの情報の記録再生を行なうために装置外装１１の内部に収納された位置（図示せず）の２つの位置で保持される。
【００２１】
１５，１６はディスク支持部材であり、それぞれ前記支持部材取付用開口１４ｅ，１４ｆに支点１５ａ，１６ａにより、図２に点線で示す動作位置１５ｄ，１６ｄまで回動可能に支持されている。そして、このディスク支持部材１５，１６は弾性体（図示せず）により常時図２に図示の実線の位置に押圧保持されている。
【００２２】
また、このディスク支持部材１５，１６は、図４に最も明瞭に示されるように基台部１５ｋとその基台部１５ｋ上に摺動可能に取付けられた支持片１５ｃより構成されており、前記支持片１５ｃの先端が前記ディスク収納凹部１４ａに突出した第一の状態と、図５に示すように前記支持片１５ｃの先端が前記ディスク収納凹部１４ａに突出しない第二の状態との間を選択的に移動可能に構成されている。そして、前述の第一の状態のときには、支持片１５ｃに形成された係合凹部１５ｇが基台部１５ｋに形成された係合突起１５ｆと係合してその状態を保持するように構成され、前述の第二の状態のときには、支持片１５ｃに形成された係合凹部１５ｈが基台部１５ｋに形成された係合突起１５ｆと係合してその状態を保持するように構成されている。なお、ディスク支持部材１６も、このディスク支持部材１５と同様な構成になっている。
【００２３】
以上のように構成されたディスク装置について、以下にその動作を説明する。この実施例のディスク装置を縦置きで使用する場合、ディスク装置の右側面を上方にした姿勢で設置しなければならない。以後は上記の縦置き姿勢における動作を説明する。また、通常状態ではトレイ１４は装置外装１１の内部に収納されているが、トレイ１４が図１，図２に図示されたディスクの載置離脱を行なう位置まで引き出された時点からの動作を説明する。
【００２４】
トレイ１４が引き出された状態では、ディスク支持部材１５，１６は図２に図示の位置に保持されている。使用者はディスク１７をディスク装置の右側、すなわち縦置きした装置の上方からトレイ１４のディスク収納凹部１４ａに載置する。この時ディスク１７はディスク収納凹部１４ａの略円筒形側面１４ｂによりトレイ１４のほぼ中央に保持されるとともに、ディスク収納凹部１４ａの底面１４ｃと支持片１５ｃ，１６ｃとの間に支持される事により、トレイ１４からの外れが防止される。次に使用者はディスク１７の情報記録再生位置への装着手段を起動する。ディスク１７の装着動作は、最初にトレイ１４が装置外装１１の内部に向かって摺動し、ディスク１７の中心孔１７ａがディスク受け１３ｂのほぼ真上に来る位置にディスク１７を配置する。
【００２５】
この時ディスク支持部材１５，１６は、その基台部１５ｋに形成された突状部１５ｂが図３に示すようにカム部１２ｃ，１２ｄ（図３には図示なし）に当接して弾性力に抗して動作位置１５ｄ，１６ｄまで回動して保持される。次に可動板１３が支軸１２ｂを中心に図２に図示の位置から図２の動作位置１３ｅまで回動し保持される。
【００２６】
この時、ディスク受け１３ｂはトレイ１４の開口１４ｄを通り、ディスク１７の中心孔１７ａと係合してディスク１７をトレイ１４のディスク収納凹部１４ａからの接触から離脱させ図２の動作位置１３ｆまで移動し、ディスククランパ１２ｂとともにディスク１７を挟持する事により、ディスク１７を図２の情報記録再生位置１７ｂに保持する。同時に情報記録再生手段１３ｄもトレイ１４の開口１４ｄを通って情報記録再生位置にあるディスク１７と適正な距離を保つための位置、すなわち図２の動作位置１３ｇまで移動する。以上で装着動作が終了し、モータ１３ｃの回転によってディスク１７は情報記録再生位置１７ｂで回転し、情報記録再生手段１３ｄによりディスクに情報を記録またはディスクから情報の再生を行なう。この時のディスク支持部材１５，１６の状態を図３に示す。このディスク支持部材１５の回動により、ディスク１７の回転時における面振れ、偏心に対する余裕を確保している。
【００２７】
ディスクの排出動作は、装着動作と逆の手順で行なわれる。排出手段が起動すると、最初に可動板１３が動作位置１３ｅから図２に図示の位置まで回動する。この回動にともない、ディスク受け１３ｂ、情報記録再生手段１３ｄも動作位置１３ｆ，１３ｇから図２に図示の位置まで戻る。この時、情報記録再生位置１７ｂに支持されていたディスク１７はディスク受け１３ｂとディスククランパ１２ｂとによる挟持から解除される。次にトレイ１４が前方に摺動を開始する。摺動にともなってディスク支持部材１５，１６の突状部１５ｂ，１６ｂはシャーシ１２のカム１２ｃ，１２ｄによる押圧が解除され、ディスク支持部材１５，１６は弾性体（図示せず）により動作位置１５ｄ，１６ｄから図２に図示の位置まで戻る。
【００２８】
さらにトレイ１４は図１，図２に図示の位置まで摺動して停止する。最後に使用者が、トレイ１４からディスク１７を取り出す事により、排出動作は終了する。
【００２９】
次に、ディスク装置の横置き姿勢での使用に対する対応を、ディスク支持部材１５，１６の構成とともに説明する。図４，図５はディスク支持部材１５の詳細図を示しており、図４，図５において、ディスク装置を横置きで設置した場合、図４の状態では使用者はディスクをトレイ１４に載置するためにディスク１７を斜めから装着しなければならず、操作の容易さに欠ける。この対策のためディスク装置を横置きに設置した場合、使用者は支持片１５ｃの先端部を図４における左の向きに、係合突部１５ｆが係合凹部１５ｈと係合する位置まで摺動させる。この時の状態が図５の状態になる。図５の状態では支持片１５ｃの先端部はトレイ１４の略円筒形側面１４ｂとほぼ同じ位置になる。この図５の状態であれば、使用者がディスクをトレイ１４に載置または離脱させるときに、トレイの真上からの載置離脱が可能となり操作性を損ねない。なお、再びディスク装置を縦置きで使用する場合は、支持片１５ｃの後方に設けられた切り欠き部１５ｉに爪、あるいは先端の鋭利なものを当てて、支持片１５ｃを図４の位置まで再び摺動させる。
【００３０】
【発明の効果】
本発明の上記の構成によれば、トレイ方式のディスク装置において、少量の部品を装置に追加する事でディスク装置を縦置きと横置きとに兼用できる。また、トレイ方式であるので、カートリッジ等を必要とせず、さらに横置きでの使用では、従来のトレイ機構における操作性を損ねない。
加えて、ディスク装置を縦置きに設置したとき、ディスク支持部材は、トレイからディスクの外れを防止し、ディスク収納凹部からディスクの挿抜を容易にし、ディスクの情報記録再生位置ではディスク収納納凹部の中心方向へ突出した状態のままトレイ表面から離反することにより、ディスクの回転時における面振れ、偏心に対する余裕を確保できる。
【００３１】
尚、上記の実施例ではディスク受け等を有する可動板が移動してディスクの装着を行なう装置について説明したため、ディスク支持部材が装着動作に連動してディスクから退避するよう移動する手段を必要とした。しかし、例えば可動板がシャーシとほぼ一体を成し、ディスク受けが上昇する代わりにトレイのディスク収納凹部の底面が下降する事によりディスクの装着がなされる形態の装置に対しては、必ずしもディスク支持部材がトレイに対して可動である必要はなく、支持部のみがトレイに対してディスクの半径方向に摺動する構成だけで目的は達せられる。
【図面の簡単な説明】
【図１】本発明の一実施例のディスクトレイ装置の一部切欠平面図
【図２】図１のＡ−Ａ線における右側から見た側断面図
【図３】同実施例のディスク装着後の側断面図
【図４】（ａ）同実施例を縦置きで使用する場合の要部を示す上面図
（ｂ）同要部の側断面図
【図５】（ａ）同実施例を横置きで使用する場合の要部を示す上面図
（ｂ）同要部の側断面図
【図６】従来のディスクトレイ装置の一例における斜視図
【図７】従来のディスクトレイ装置の他の一例における斜視図
【図８】従来のディスクトレイ装置の更に他の一例における斜視図
【図９】従来のディスクトレイ装置の更に他の一例における斜視図
【符号の説明】
１１    装置外装
１２    シャーシ
１２ｃ，１２ｄ    カム
１３    可動板
１３ｂ    ディスク受け
１３ｄ    情報記録再生手段
１４    トレイ
１４ａ    ディスク収納凹部
１４ｂ    略円筒形側面
１４ｃ    底面
１４ｅ，１４ｆ    取付用開口
１５，１６    ディスク支持部材
１５ａ，１６ａ    支点
１５ｂ，１６ｂ    突状部
１５ｃ，１６ｃ    支持片
【図１】
0003610909.tif 000002
【図２】
0003610909.tif 000003
【図３】
0003610909.tif 000004
【図４】
0003610909.tif 000005
【図５】
0003610909.tif 000006
【図６】
0003610909.tif 000007
【図７】
0003610909.tif 000008
【図８】
0003610909.tif 000009
【図９】
0003610909.tif 000010